(57)【要約】【課題】  作物誘引用の誘引ヒモの取り付け、撤去作業は手間のかかる作業である。また、トマトなどの吊り下ろし作業は収穫最盛期と重なることから、世話が行き届かないことが多い。物品の作成とともに吊り下ろし方法を変えて省力化する。【解決手段】  誘引ヒモ取り付け用フック１を作成し、畦３上のヒモ吊り用ワイヤー又は鉄線２に取り付ける。そのフックに先端を環状に加工した誘引ヒモ４を引っ掛け、畦３と並行にフックに載せていき、トマトを斜め誘引する。吊り下ろしは、トマトが６の状態まで生育したところで、フック１に載せておいた誘引ヒモ４を下ろして巻きつけ、７の状態にする。生育に合わせてこれを繰り返す。【選択図】  図５
2005328824.tif 000002
【特許請求の範囲】
【請求項１】
農作物誘引ヒモ又はキュウリネットの取り付け・撤去を容易にするための誘引ヒモ取り付け用フック
【請求項２】
先端を環状加工した誘引ヒモ又はキュウリネットを誘引ヒモ取り付けフックに引っ掛ける形で取り付ける取り付け方法
【請求項３】
トマト等の、長期栽培時に吊り下ろし作業を必要とする農作物栽培における、誘引ヒモ取り付け用フックを利用した吊り下ろし方法。
【発明の詳細な説明】
【技術分野】
【０００１】本発明は、誘引ヒモ及びキュウリネットを容易に取り付け・撤去するための誘引ヒモ取り付け用フックと、その誘引ヒモ取り付け用フックを利用して、農作物の吊り下ろしの省力化、および栽培を長期化する方法である。
【背景技術】
【０００２】従来、作物誘引用の誘引ヒモは、作物の畦方向上に布設してあるヒモ吊り用のワイヤー又は鉄線などに誘引ヒモを直接縛り付けるのが一般的であり、誘引ヒモの取り付け、撤去には時間と手間がかかっていた。一方、従来の作物の吊り下ろしは、誘引ヒモを樹体から外し、樹体を下ろして再度縛り付ける方法をとるのが一般的であり、時間・労力がかかっていた。また、格子状に張り巡らせた誘引ヒモに沿わせて樹体を複数回曲げてテープで固定する方法など、吊り下ろしせずに栽培する方法もあるが、いずれも栽培方法の大幅な変更が必要であり、資材投資額に対する効果には疑問があり、農家が導入を見送ることが多かった。
【発明の開示】
【発明が解決しようとする課題】
【０００３】従来の方法は、作物の畦方向上に布設してある、ヒモ吊り用のワイヤー又は鉄線などに誘引ヒモを直接縛り付け、そのヒモに作物を固定し、作物がある程度の高さまで生育した時点で作物を誘引ヒモから外して下ろし、再び高さを調整して固定しなおすというのが一般的である。この方法では誘引ヒモから外した時点でその樹体・果実の重量（樹体の高さ・果実の量にもよるがトマトでは一本あたり約１０ｋｇ以上の場合もある）は作業者の腕で支えることとなり、重労働となる。また、片方の腕は樹体を支えているため、固定作業をもう片方の腕一本で行わなければならず、作業能率が上がらない（間口７．２ｍ×奥行４８ｍハウス内、約７００本のトマト吊り下ろし作業が、２人で約４〜５時間かかっていた）。そのうえ、樹体を一点で支えている状態になり、樹体が折れる危険性が大きい。栽培終了時にはハサミやカマ等の刃物を使って誘引ヒモを撤去しているが、高所で縛ってある誘引ヒモを切り取ることは肉体的にきつい作業であり、危険でもある。また、ワイヤーや鉄線などに誘引ヒモの切り残しがあると、ＰＰヒモなどの場合、朽ちて粉々になり、それが飛散し、目や気管に入り込む恐れがあり、丁寧に取り除く必要がある。これも想像以上に手間のかかる作業の一つである。糸巻き機能付のフックも市販されているものの、吊り下ろし時には一つ一つのフックから誘引ヒモをほどいていき、作物を吊り下ろす必要があるため、労力的にはさほどの効果がみられない上に、資材そのものが高価である。吊りおろし作業は収穫最盛期に重なるため、これらの方法では時間がかかり、植物の生育に対して作業が間に合わず、世話が行き届かない。結果は過繁茂となり病害虫発生を招き、収量減少・品質低下・早期切り上げとなることが多い。そのため、規模の拡大を断念する、または吊り下ろしを実施せず、短期間で栽培を終了している。一方、畦の両側に畦と平行して垂直に直管などの支柱を２〜３ｍおきに立てて、その支柱に格子状に誘引ヒモを張り、地際から垂直に誘引、水平方向の誘引ヒモの高さで直角に樹体を曲げ、テープ等で固定して水平に樹体をのばし、また垂直方向の誘引ヒモに差し掛かった時点で垂直方向に樹体を直角に曲げてテープで固定、この繰り返しでジグザグに樹体を伸長させることで、吊り下ろしを行わずに長期収穫を行う方法もある。しかし支柱立てや、誘引ヒモを格子状に張る作業、そしてそれらの撤去作業は時間・労力ともにかかり、栽培中もテープでの固定作業をほとんど毎日行う必要があるため、省力化のメリットは少ない。また、支柱も相当の本数が必要になるので、多大な設備費や栽培期間以外の保管場所確保などの問題も発生する。樹体の生育面からみても、樹体を直角に複数回曲げることは、樹体に対して大きな負担をかけ、さらに葉が込み合うことで通気性が低下し、病害虫の発生を招く。しかも日光を十分に受けられないために光合成を阻害してしまい、植物体の生育不良を招き、収量低下になる危険性がある。このように、従来の作業では、時間・労力がかかり、いずれも省力化・収穫長期化は期待できないため、誘引ヒモ又はキュウリネットを容易に取り付け及び取り外しできる物品を作成するとともに、吊り下ろし作業の省力化をはかる。
【課題を解決するための手段】
【０００４】特殊鋼線やステンレス鋼線等を曲げ加工して、誘引ヒモ取り付け用フックを作成する。図１に示したフック形状はその一例であるが、植物の重量がかかってもフック部分が伸びず、また横方向からの力に対して、ズレや回転をしない形状にする。それを作物の畦方向上に布設してある、ヒモ吊り用のワイヤー又は鉄線などに作物の本数分、作物の真上に取り付け、先端を環状に加工した誘引ヒモ、またはキュウリネットを引っ掛けて取り付ける。吊り下ろし作業を必要とする農作物栽培については、誘引ヒモを畦と平行に、予定している吊り下ろし回数分だけフックにのせていき、そこから垂らした誘引ヒモに作物を縛り、巻きつける。吊り下ろし時は、誘引ヒモ取り付けフックから誘引ヒモを段階的に外していき、これを繰り返す。
【発明の効果】
【０００５】誘引ヒモ取り付け用フックは、誘引を必要とする作物全般に使用可能であり、取り付け・取り外しが可能なため、誘引を必要とする作物であれば、栽培方法（条間・株間など）が変更されても取り付け替えで対応でき、資材が無駄にならない。ビニールハウス用の部品等と同じ素材（特殊鋼線等）やステンレス鋼線を曲げ加工して生産することにより、ハウス資材を作っているメーカーであれば、別の原材料を用意する必要性がなく、材料費、加工費を引き下げることができる。また、対候性・曲がり・折れ・錆に強く、長期にわたり連続使用できるため設備投資額が少なくて済む。定植時は誘引ヒモ取り付けフックの真下に植え穴を開ければよいので、目印のないマルチ（古ビニール等）でも、定植位置を測る必要がない。誘引ヒモ取り付けは、誘引ヒモ取り付けフックに誘引ヒモの環状加工部を引っ掛けるだけなので、農閑期や時間の空いているときに、あらかじめ空調の効いた室内などで誘引ヒモ先端を環状に加工しておくことで、夏季の高温時や冬季の寒冷時の屋外またはハウス内での作業時間を大幅に短縮でき、農作業者の身体的負担が軽くて済む。また、誘引ヒモ撤去時においても誘引ヒモ取り付けフックから誘引ヒモを取り外すだけでよく、作業が早い。ハサミ等の刃物を使用しないため、安全に作業できる。吊り下ろし方法については、誘引ヒモ取り付けフックにのせている誘引ヒモを下ろし、樹体を巻きつけるだけでいいので、作業者が樹体を長時間支える必要がなく、巻きつけ時は両手で作業できるため、作業能率が上がり、短期間で吊り下ろし作業を終えることができる（間口７．２ｍ×奥行４８ｍハウスにおいて、二人で約７００本のトマトを従来の方式の約半分の２時間程度で吊り下ろした実績がある）。誘引ヒモ取り付けフックの間隔そのものが吊り下ろす誘引ヒモの長さとなるため、一定の高さで吊り下ろすことができ、作物の高さを調整する必要がない。また、誘引ヒモ取り付けフックには複数回吊り下ろし分の誘引ヒモをのせることが可能なため、栽培が長期になればなるほどその省力化のメリットは大きくなり、逆にそれ故に長期収穫が可能となる。夏季の高温による作物の高温障害の回避や、暖房機などによる冬季の保温をして、長期収穫型の栽培にできるなら、定植準備・定植、作物の撤去作業回数を減らすことができる。連続して収穫でき、収入の途切れがないことや、苗代の大幅減が見込まれ、農家の収入増加や時間的余裕ができ、ゆとりある農業、休みのとれる農業の実現にも貢献できる。そしてその最大の特徴は、従来の栽培方法の延長線上にある技術のため、長年培ってきた栽培技術や方法を変更する必要がなく、失敗による収量低下の心配がないので、農家が安心して導入できることである。
【実施例】
【０００６】  ハウストマト栽培における誘引ヒモ取り付け用フック、及びそれを利用した省力吊り下ろし方法の実施例を記載する。
トマトは株間２５ｃｍの千鳥植えとする。（ハウス間口７．２ｍ×奥行５０ｍ、畦幅１８０ｃｍ、４畦でおよそ７２０本定植）
この実施例では、吊り下ろし回数を２回とする。
ヒモ吊り用ワイヤー又は鉄線２（以後つり線と記載）は、畦上部に畦と平行する形でひと畝あたり２本、ひとハウスあたり８本とする。できれば、つり線の布設高さを、作業者が作業できる範囲で、できるだけ高め（作業者の身長にもよるが、通路から１８０〜２００ｃｍ程度）に設定する。（この例では２００ｃｍに設定）
まず、つり線２に誘引ヒモ取り付け用フック１（以後フックと記載・図１）を、トマト定植前（できれば畦たて前）に取り付けておく。フック１の取り付けは、５０ｃｍ間隔で、同一畦３の、隣り合わせになるつり線には、千鳥状になるように、２５ｃｍずらして取り付ける。フック１は通路側に向けて取り付ける（図２）。
誘引ヒモ４を、トマトの本数分（この場合は７２０本）、必要な長さで作り、片端を環状に加工する（環状部は約２０ｃｍ程度）（図３）。
誘引ヒモ４の必要な長さとは、フック１から垂らした誘引ヒモをトマト５に縛り付ける位置までの距離（畦上から５０ｃｍ程度の高さで縛り付けるため、この場合は１５０ｃｍ）と、吊り下ろしを行う予定回数×５０ｃｍ（フックに載せる誘引ヒモの長さ）、環状加工や樹体に縛るのに必要な長さを足した長さ（予備を含めて５０ｃｍ程度）となる。（例：つり線高さ２００ｃｍで２回吊り下ろしを予定していれば、１５０ｃｍ＋２×５０ｃｍ＋５０ｃｍで３００ｃｍとなる。誘引ヒモの種類は、巻きつけて加重がかかった時にトマトの樹体に食い込まないよう、硬くて細いものは避け、柔らかく太めな物が望ましく、長期間の使用にも耐えうる強度・耐候性を持ったものを選定する。
畦たて・マルチング後、トマト５を傾けて定植、同一畦３の反対側は逆方向に傾けて定植する。定植位置は、フック１の真下とする（図２）。
誘引作業開始までに、誘引ヒモ４の環状部をフック１に引っ掛け、２段分（約１００ｃｍ）をフック１に載せ、残りを垂らしておく。
誘引ヒモ４を載せる方向は、トマト５の傾きの方向をよく確認しておくことが必要であり、その方向を間違えると吊り下ろし出来なくなるため、吊り上げまでに再度確認し、間違っていればやり直す。誘引作業までの期間が長すぎると、加重がかかっていない状態のため、風などで誘引ヒモ４がフック１から外れてしまう恐れがあることから、誘引直前の作業が望ましい。
トマト５が誘引可能な状態まで生育したところで、定植位置より傾き方向に１ｍ（フック二つ分）ずらしたフック１から下ろした誘引ヒモ４に、１段の果実がマルチに着かない程度の高さに調節して縛り、巻きつけて斜めに誘引する（図４）。
トマトの生育にあわせて巻きつけていき、目安として２段収穫終了後にフック１に載せておいた誘引ヒモ４をフック１から外し、吊り下げた後、巻きつける。この作業を、トマトの生育にあわせて繰り返す（図５）。
栽培終了時は、フック１から誘引ヒモ４の環状部分を取り外して落とし、連作障害回避のためにハウス外に持ち出す。
フックに載るだけの誘引ヒモを載せることは可能であるが、誘引ヒモ同士が絡まるなど作業が困難になるため、長期収穫時に誘引ヒモの全長が長すぎる場合は、１本の誘引ヒモを２つに分け、１本を環状加工してフックに引っ掛け、載せた後、そのヒモの先端にもう一方のヒモの先端をくくりつける。それでも吊り下ろし作業５回分（２５０ｃｍ）の誘引ヒモをフックに載せるのが限界と思われるため、それを超える回数の吊り下ろし方法として、１００ｃｍの誘引ヒモを環状に加工し、それをトマトの本数分用意しておき、吊りヒモの環状部分にくくりつける。環状ヒモを隣のフックに引っ掛けた後、吊りヒモの環状部をフックから取り外すことで、１段分の吊り下ろしが可能となる。
また、フックを一本のつり線に通路向き・畦中央向きに２５ｃｍ間隔で交互に取り付け、畦中央向きのフックに載せたヒモに作物を誘引し、吊り下ろしていく。畦中央向きのヒモを吊り下ろしきったら、通路向きのフックに同様にヒモを載せておく（この時は畦までのヒモは必要ない）。畦中央向きのフックからヒモを取り外し、その環状部と通路向きのヒモの先端とを結びつけ、通路向きのヒモで再度吊り下ろし作業をすることで、約２倍の回数（１０回程度）の吊り下ろしが可能となる。
【図面の簡単な説明】
【０００７】
【図１】誘引ヒモ取り付け用フックの図である
【図２】誘引ヒモ取り付け用フックの取り付け位置及びトマト定植位置の図である
【図３】片端を環状加工した誘引ヒモの図である
【図４】トマト誘引直後の図である
【図５】吊り下ろし前後のトマトの図である
【符号の説明】
【０００８】１  誘引ヒモ取り付け用フック
２  ヒモ吊り用ワイヤー又は鉄線
３  畦
４  誘引ヒモ
５  トマト
６  吊り下りし作業前のトマト
７  吊り下ろし作業後のトマト
【図１】
2005328824.tif 000003
【図２】
2005328824.tif 000004
【図３】
2005328824.tif 000005
【図４】
2005328824.tif 000006
【図５】
2005328824.tif 000007